(57)【要約】【課題】点溶接中の結束用帯金が熱影響と引締め力による移動によって、溶接強度の低下や強度のバラツキを生じない結束設備用結束ヘッドを提供する。【解決手段】結束用帯金溶接装置の入り側で下帯金、出側で上帯金を確実に保持した後、上帯金の引締めの解除、剪断をして無張力状態で点溶接をする。これによって溶接強度の低下やバラツキの少ない上、下帯金の熔接接合が出来る。【選択図】    図１
2004210397.tif 000002
【特許請求の範囲】
【請求項１】
梱包物の周囲に帯金を掛けて接合部で重ね、次に結束設備用結束ヘッドの結束用帯金溶接装置の入側で下帯金を保持した後、帯金を引き締め、次に結束用帯金溶接装置の出側で上帯金を保持した後、上帯金の引き締めを解除し、結束用帯金溶接装置内の上、下帯金に引張力が作用しない状態で上、下帯金を点溶接することを特徴とする結束用帯金溶接方法。
【請求項２】
結束用帯金溶接装置の入側に下帯金保持装置、帯金送給引締装置等を配設し、出側に上帯金保持装置、帯金先端停止装置を配設したことを特徴とする結束設備用結束ヘッド。
【請求項３】
上帯金を上帯金保持装置で保持した後、結束用帯金溶接装置の入側に配設した帯金剪断装置で上帯金を剪断して上、下帯金を結束用帯金溶接装置で点溶接すること特徴とする請求項１に記載の結束用帯金溶接方法。
【請求項４】
帯金送給引締装置の上側に結束用帯金溶接装置等を作動させる甲、乙シリンダーを並べて配設し、乙シリンダーの第２ピストンの先端部に下帯金保持装置と剪断装置に係合する第１リンク機構と上帯金保持装置に係合する第２リンク機構を有することを特徴とする請求項２に記載の結束設備用結束ヘッド。
【発明の詳細な説明】
【０００１】
【発明の属する技術分野】
本発明は梱包物の周囲を帯金で結束する結束設備用の結束ヘッドに関する。より詳しくは梱包物の周囲に掛けた帯金を引き締めて、帯金の重なり部を点溶接する結束設備用結束ヘッド（以下、結束ヘッドと称す）に関する。
【０００２】
【従来の技術】
梱包物の周囲を帯金で結束する方法は従来から行なわれており、帯金の重なり部の接合は封鍼用シールに切れ目を入れる等の方法が採用されていた。しかし、最近では封鍼用シールの原価、補給の煩わしさ等の要因で封鍼用シールを用いないで点溶接する方法が多く採用されるようになってきた。この場合、点溶接する時、帯金を引き締めた状態で点溶接しているため溶接時に発生する熱等の影響で引き締め力によって溶接部の帯金が僅か移動する。これによって溶接部の強度が低下し、強度のバラツキも大きくなるという大きな問題点があった。
【０００３】
【発明が解決しようとする課題】
本発明はかかる情況を鑑みて、帯金を点溶接中に引き締めることにって生じる溶接強度の低下、バラツキを防止する結束ヘッドを提供することを課題とする。
【０００４】
【課題を解決するための手段】
かかる課題を解決するために、本発明の結束ヘッドは梱包物の周囲に掛けられた帯金を結束用帯金溶接装置（以下、溶接装置と称す）の入側で下帯金を保持し、その後、帯金送給引締装置で帯金を引き締めた後、溶接装置の出側で上帯金を保持する。次に引き締めを解除し溶接装置の入側に配設された剪断装置で上帯金を剪断する。これによって溶接装置内の上、下帯金は引き締め力は全く作用しない自由な状態になる。この状態で上、下帯金を点溶接するので溶接接強度が大でバラツキの少ない良好な溶接結果が得られる。
【０００５】
【発明の形態】
従来の結束設備の結束ヘッドは帯金を引き締めたままの状態で点溶接をしているため溶接熱等の影響で溶接中の帯金が若干移動していた。そのために溶接強度が低下し、バラツキも大きかった。本発明の結束設備用結束ヘッドは溶接装置の入り側と出側で帯金を保持しているため溶接装置内では張力は作用しない。これによって良好な溶接結果が得られる。以下、一実施例を示し、本発明を詳細に説明する。
【０００６】
【実施例】
図１は本発明の結束設備用結束ヘッドの正面図、図２は側面図を示し、図３は結束設備の説明的全体図、図４は帯金で結束された梱包物の姿図、図５は帯金の点接合部の姿図を示す。図３に示すように結束設備１へＹ方向からコンベヤー２等で搬送された梱包物３が結束ヘッド４の位置で停止する。結束設備１には予め結束ヘッド４内の帯金送給引締装置５の送給ロール６で矢印の方向へ帯金案内路７を経て送られた帯金８が準備されている。このとき結束ヘッド４内で帯金８は上帯金８ａと下帯金８ｂが略、重なった状態になつている。下帯金８ｂの先端は図１に示す帯金先端停止装置９の停止金具１０によって停止する。尚、停止金具１０には帯金８が一枚通過できる程度のスリット１０ａが加工され、下帯金８ｂの先端は通過できないためこの位置で停止する。その後、停止金具１０は後退する。
【０００７】
次に下帯金８ｂを下帯金保持装置１１で保持する。図６はＡ−Ａ断面図を示し、下帯金８ｂは引き締め時に滑らないように受金１２とジョー１３の間で図７に示すように折り曲げられる。ジョー１３はピン１４を中心にしてリンク１５によって枢動して閉じ、下帯金８ｂを折り曲げる。ピン１４の両端は図１に示す側板１６、１７で支持される。リンク１５の一端はピン１８でジョー１３と枢動し、他端はピン１９でロッド２０と枢動する。該ロツド２０は甲シリンダー２１と乙シリンダー２２によって作動する。即ち、図１の甲シリンダー２１のピストン２１ａが前進して乙シリンダー２２の第一ピストン２２ａを押すとこれに接している第二ピストン２２ｂも前進する。前記のロッド２０は図６に示す側板１６の溝１６ａ内を滑動し、該第二ピストン２２ｂに係合する第一リンク機構２３によって下降して下帯金８ｂを折り曲げる。このとき乙シリンダー２２には空気圧はなく自由状態である。尚、第一ピストン２２ａは次の行程で押し力を倍増するために配設されている。
【０００８】
次に図３に示すフレーム２４に取り付けられたシリンダー２５によって結束ヘッド４が下降して梱包物３に接する。この段階で帯金送給引締装置５の送給ロール６を反時計方向へ回転させて帯金８のたるみをとった後、引き締めて所定の張力に達した時点で乙シリンダー２２の第一ピストン２２ａと第二ピストン２２ｂに圧縮空気を入れて前進させる。この時、甲シリンダー２１のピストン２１ａと無関係になる。前記の第一ピストン２２ａと第二ピストン２２ｂが更に前進すると第二ピストン２２ｂに係合する第二リンク機構２６によって上帯金保持装置２７が作動して上帯金８ａ保持する。図８はＢ−Ｂ断面図置を示し、下帯金保持装置１１と同様に第二リンク機構２６によって下降するロツド２８によって図１、図９に示すように該ロッド２８にボルト２９で取り付けられた押さえ金具３０とリンク３１によってピン３２を中心に枢動するジョー３３の間で折り曲げられて確実に上帯金８ａを保持する。その後、上帯金８ａの引き締めを解除する。
【０００９】
次に図１、図１０によって帯金剪断装置３４について説明する。前記の第一ピストン２２ａと第二ピストン２２ｂを更に前進させるとロツド２０にボルト３５で取り付けられた剪断刃３６と受け金１２の間で上帯金８ａは剪断される。図１０はＣ−Ｃ断面図を示す。
【００１０】
この状態で結束用帯金溶接装置３７（実公平７−３１８９２参照）の加圧電極３７ａと対向電極３７ｂの間の上帯金８ａと下帯金８ｂには張力は全く作用しないので、次の行程で行なわれる点溶接で高強度でバラツキが少ない良好な溶接結果が得られる。
加圧電極３７ａと対向電極３７ｂの間で上帯金８ａと下帯金８ｂは加圧され、トランス３７ｃ及びオンス銅板３７ｄ等を経て通電されて点溶接される。
【００１１】
その後、甲、乙シリンダー２１、２２のピストン２１ａと第一、第二ピストン２２ａ、２２ｂが後退して結束前の状態になり、結束ヘッド４が上昇して結束作業は終了する。これらの結束行程は図示しないコンピューター付き制御盤等で自動制御される。
【００１２】
【発明の効果】
従来の結束設備用結束ヘッドは帯金を引き締めた状態で点溶接していたため溶接熱等で溶接中に帯金が移動し、溶接部の強度が低下しバラツキも大きかった。本発明では上、下帯金を確実に保持して無張力の状態で点溶接をするため溶接部の強度低下もなくバラツキも少ない画期的な結束方法及び結束ヘッドである。
【図面の簡単な説明】
【図１】本発明の結束設備用結束ヘッドの正面図
【図２】
【図１】の側面図
【図３】本発明の結束設備の説明的全体図
【図４】帯金で結束された梱包物の姿図
【図５】帯金の点溶接部の姿図
【図６】Ａ−Ａ断面
【図７】下帯金の折り曲げ部の姿図
【図８】Ｂ−Ｂ断面
【図９】上帯金の折り曲げ部の姿図
【図１０】Ｃ−Ｃ断面
【符号の説明】
１  本発明の結束設備            １０ａ  スリット
２  コンベヤー                    １１  下帯金保持装置
３  梱包物                        １２  受金
４  結束設備用結束ヘッド          １３  ジョー
５  帯金送給引締装置              １４  ピン
６  送給ロール                    １５  リンク
７  帯金案内路                    １６  側板
８  帯金                          １７  側板
８ａ  上帯金                        １８  ピン
８ｂ  下帯金                        １９  ピン
９  帯金先端停止装置              ２０  ロッド
１０  停止金具                      ２１  甲シリンダー
２１ａ  スリット
２２  下帯金保持装置
２２ａ  受金
２２ｂ  ジョー
２３  第一リンク機構
２４  フレーム
２５  シリンダー
２６  第二リンク機構
２７  上帯金保持装置
２８  ロッド
２９  ボルト
３０  押え金具
３１  リンク
３２  ピン
３３  ジョー
３４  帯金剪断装置
３５  ボルト
３６  剪断刃
３７  結束用帯金溶接装置
３７ａ  加圧電極
３７ｂ  対向電極
３７ｃ  トランス
３７ｄ  オンス銅板
【図１】
2004210397.tif 000003
【図２】
2004210397.tif 000004
【図３】
2004210397.tif 000005
【図４】
2004210397.tif 000006
【図５】
2004210397.tif 000007
【図６】
2004210397.tif 000008
【図７】
2004210397.tif 000009
【図８】
2004210397.tif 000010
【図９】
2004210397.tif 000011
【図１０】
2004210397.tif 000012